(57)【要約】【課題】浴室等で１つの洗面器に吐水する場合、溢れて排水される湯の無駄を無くし有効に利用できるようにする。【解決手段】洗面器置きテーブルが上下に階層を成して複数配置される洗面器置き台を構成し、各洗面器置きテーブルはテーブル奥側から手前側に下り勾配を有し、上の洗面器置きテーブルに比して下の洗面器置きテーブルは手前側の前面が張り出す構成とする。カランの吐水口の下に洗面器置き台を置き、各洗面器置きテーブルに洗面器を載置する。カランから吐水された湯は、最上段の洗面器に湯を溜め、洗面器置きテーブルの勾配により洗面器の手前側から溢れ湯が垂下する。この垂下する溢れ湯は下に載置された洗面器内に垂下し湯を溜める。もう一段下の段がある場合も同様のことが行われる。このように構成された洗面器置き台を提供する事により、１つの洗面器では排水されていた溢れ湯を溜めることができ、湯の無駄を無くし有効に利用することができる。【選択図】図１
2011055866.tif 000002
【特許請求の範囲】
【請求項１】
脚部または板面によって洗面器を置くテーブルが支持される自立する洗面器置き台であり、前記洗面器を置くテーブルは奥から手前にかけて１％〜１５％、好ましくは３％〜８％程度の下り勾配を有する洗面器置き台であって、前記洗面器を置くテーブルが、上下２段に構成され、上段の洗面器置きテーブルに比して、下段の洗面器置きテーブルの前面が１ｃｍ〜１５ｃｍ、好ましくは２ｃｍ〜６ｃｍ程度手前に張り出していることを特徴とする洗面器置き台。
【請求項２】
請求項１記載の洗面器置き台において、上下２段の洗面器置きテーブルのうち、上段に相当する洗面器置きテーブルは有するが下段に相当する洗面器置きテーブルを有さない洗面器置き台であって、請求項１の洗面器置き台で下段に相当する洗面器置きテーブルに載置される洗面器は、浴室の洗い場の床に直接置くことを特徴とした洗面器置き台。
【請求項３】
請求項１記載の洗面器置き台において、請求項１記載の洗面器置きテーブルが上下２段に構成されていることに対して、洗面器置きテーブルが上段中段下段の３段に構成され、上段の洗面器置きテーブルに比して中段の洗面器置きテーブルの前面が１ｃｍ〜１５ｃｍ、好ましくは２ｃｍ〜６ｃｍ程度手前に張り出しており、中段の洗面器置きテーブルに比して下段の洗面器置きテーブルの前面が１ｃｍ〜１５ｃｍ、好ましくは２ｃｍ〜６ｃｍ程度手前に張り出していることを特徴とした洗面器置き台。
【請求項４】
請求項３記載の洗面器置き台において、上中下３段の洗面器置きテーブルのうち、上段に相当する洗面器置きテーブルと中段に相当する洗面器置きテーブルは有するが下段に相当する洗面器置きテーブルを有さない洗面器置き台であって、請求項３の洗面器置き台で下段に相当する洗面器置きテーブルに載置される洗面器は、浴室の洗い場の床に直接置くことを特徴とした洗面器置き台。
【請求項５】
請求項１乃至４に記載の洗面器置き台であって、前脚部の洗面器置きテーブルの支持部に回動機能、奥脚部の洗面器置きテーブルの支持部に蝶番機能を持たせ、もしくは全ての脚部の洗面器置きテーブルの支持部に回動機能を持たせることにより、折りたたみ可能とした洗面器置き台。
【請求項６】
請求項１乃至５に記載の洗面器置き台において、洗面器置きテーブルを支持する脚部および板面の下部に個別に高さを微調整する調整部を有する洗面器置き台。
【請求項７】
浴槽の外側に洗面器置き台を掛けるフックを有し、そのフックに洗面器を置くテーブルが支持される浴槽に縣架する洗面器置き台であり、前記洗面器を置くテーブルは奥から手前にかけて１％〜１５％、好ましくは３％〜８％程度の下り勾配を有する洗面器置き台であって、前記洗面器を置くテーブルが、上下２段に構成され、上段の洗面器置きテーブルに比して、下段の洗面器置きテーブルの前面が１ｃｍ〜１５ｃｍ、好ましくは２ｃｍ〜６ｃｍ程度手前に張り出していることを特徴とする洗面器置き台。
【請求項８】
請求項７記載の洗面器置き台において、上下２段の洗面器置きテーブルのうち、上段に相当する洗面器置きテーブルは有するが下段に相当する洗面器置きテーブルを有さない洗面器置き台であって、請求項７の洗面器置き台で下段に相当する洗面器置きテーブルに載置される洗面器は、浴室の洗い場の床に直接置くことを特徴とした洗面器置き台。
【請求項９】
請求項７記載の洗面器置き台において、請求項７記載の洗面器置きテーブルが上下２段に構成されていることに対して、洗面器置きテーブルが上段中段下段の３段に構成され、上段の洗面器置きテーブルに比して中段の洗面器置きテーブルの前面が１ｃｍ〜１５ｃｍ、好ましくは２ｃｍ〜６ｃｍ程度手前に張り出しており、中段の洗面器置きテーブルに比して下段の洗面器置きテーブルの前面が１ｃｍ〜１５ｃｍ、好ましくは２ｃｍ〜６ｃｍ程度手前に張り出していることを特徴とした洗面器置き台。
【請求項１０】
請求項９記載の洗面器置き台において、上中下３段の洗面器置きテーブルのうち、上段に相当する洗面器置きテーブルと中段に相当する洗面器置きテーブルは有するが下段に相当する洗面器置きテーブルを有さない洗面器置き台であって、請求項９の洗面器置き台で下段に相当する洗面器置きテーブルに載置される洗面器は、浴室の洗い場の床に直接置くことを特徴とした洗面器置き台。
【請求項１１】
請求項７乃至１０に記載の洗面器置き台において、浴槽に掛けるフックの洗面器置きテーブルの支持部を回動可能とすることにより、折りたたみ可能とした洗面器置き台。
【請求項１２】
下に洗面器を置くことが想定される洗面器置きテーブルにあっては、当該洗面器置きテーブルに洗面器を載置した際に洗面器が穴に落ち傾いたり、洗面器が穴によりがたついたりしない大きさのカランの吐水口から吐水される湯を通過させる穴を有し、当該洗面器置きテーブルに載置された洗面器に対してカランの吐水口から吐水されている最中に、当該洗面器置きテーブルから洗面器をどけた際に当該洗面器置きテーブルの下に載置された洗面器に、カランの吐水口から吐水された湯が前記穴を通過し直接吐水されることを特徴としたカランの吐水口から吐水される湯を通過させる穴を有する洗面器置きテーブルにより構成される洗面器置き台であって、前記穴が上段の洗面器置きテーブルと中段の洗面器置きテーブルに有る場合には、上段の洗面器置きテーブルの穴と中段の洗面器置きテーブルの穴は、鉛直方向に同位置となるカランの吐水口から吐水される湯を通過させる穴を形成することを特徴とするカランの吐水口から吐水される湯を通過させる穴を有する洗面器置きテーブルにより構成される洗面器置き台であって、各家庭の浴室によって様々なカランの吐水口の長さに対して対応可能であることを特徴とするカランの吐水口から吐水される湯を通過させる穴を有する洗面器置きテーブルにより構成される洗面器置き台であるとともに、洗い場に対して浴槽が左右どちら側に配置されている浴室に対しても、そこに配置されているカランの吐水口から吐水される湯を通過させる穴を有する洗面器置きテーブルにより構成されることを特徴とした請求項１乃至１１の洗面器置き台。
【請求項１３】
下に洗面器を置くことが想定される洗面器置きテーブルにあっては、その洗面器置きテーブル上面の両サイドの縁から手前側の縁にかけて、隆起した土手が築かれ、その隆起した土手はその洗面器置きテーブルの手前側で適宜な間隔を有して切れていることを特徴とした洗面器置きテーブルを有する請求項１乃至１２の洗面器置き台。
【請求項１４】
洗面器置きテーブルの表面に、凹凸を設け、または、ざらつきを設け、または、表面に滑り止めのシート類を貼り付ける事により、洗面器置きテーブルの表面に滑り止め加工を施した請求項１乃至１３の洗面器置き台。
【請求項１５】
洗面器置きテーブルを網目、または格子で構成することを特徴とした請求項１乃至１１の洗面器置き台。
【発明の詳細な説明】
【技術分野】
【０００１】
本発明は、上下に複数の洗面器等の容器を配置して使用する、洗面器置き台に関するものである。
【背景技術】
【０００２】
従来から、洗面器置き台に関しては、浴室ユニットとして浴室の洗い場の壁に取り付けられている洗面器置き台（例えば、特許文献１）や、壁に取り付けられるものではなく、浴室用腰掛けより少し高めの台を形成して洗面器置き台としたもの（例えば、特許文献２）が知られている。
【先行技術文献】
【特許文献】
【０００３】
【特許文献１】特開２００１−１６１５８７号公報
【特許文献２】実新開昭５８−１５６４８６号公報
【発明の概要】
【発明が解決しようとする課題】
【０００４】
しかしながら、従来のいずれの洗面器置き台も、使用される１つの洗面器の置き場所を考案し提供するものであり、２つ以上の洗面器を上下に階層を設けて載置して使用する洗面器置き台を考案し提供するものはなかった。
【０００５】
浴室の洗い場で頭髪や身体を洗う際、カランの吐水口の湯を止めて洗う場合と、カランの吐水口の湯を止めずに、洗面器に湯を溜めながら洗う場合が考えられる。
頭髪や顔等、洗う際に目を閉じなければならないような場合は、比較的短時間でその作業を完了させようとするのが、ごく自然な人間の心理的な希求である。個人差はあるが、洗髪や洗顔時に目を閉じなければならない場合、１分、２分、またはそれ以上目を閉じたまま洗う行為を行うことはあまり好まれず、洗髪や洗顔で目を閉じる時間は、できるだけ短時間で済ませたいというのが、ごく自然な人間の心理であると言える。
この場合、短時間で洗髪や洗顔を完了させることを前提に、カランの吐水口からの湯を洗面器に溜めながら行う場合もある。
カランからの吐水を止めずに洗面器に湯を溜めながら洗髪や洗顔を行った場合、１つだけの洗面器に湯を溜めながら行った場合、洗面器の湯は溢れ出し、短時間と言いつつも数リットルの湯がそのまま排水溝へと流れて無駄に排水されてしまう場合もある。
１つの洗面器の使用だけでは洗っている間に湯が洗面器から溢れてもったいないと考える場合は、もう１つ洗面器を用意し、最初の洗面器から湯が溢れ出たと感じられた際に、もう１つの洗面器を、湯が溜まった最初の洗面器と入れ替えて湯を溜め、洗い終わり頭や顔を溜めた湯で流すまでの間の、カランの吐水口から吐水され続ける湯を無駄にしないようにするという方法が考えられる。
洗面器を２つ用意し、洗髪や洗顔等の間に吐水される湯を、洗面器を入れ替えることによって連続的に２つの洗面器に溜めて無駄にしないようにすることは、経済的にも水資源の無駄をなくすという面からも良いことであるが、洗髪や洗顔等の作業をしながら、場合によっては目を閉じた状態で、１つめの洗面器に湯が溜まったと判断された時に、もう１つの洗面器と入れ替えて湯を溜めるということを行わなければならず、洗髪や洗顔等の作業に不便さを強いる作業を加えているといえる。
【課題を解決するための手段】
【０００６】
この課題を解決する請求項１の発明は、脚部によって、または、平面もしくは局面からなる直立する板面によって洗面器を置くテーブルが支持される自立する洗面器置き台であり、前記洗面器を置くテーブルは奥から手前にかけて１％〜１５％、好ましくは３％〜８％程度の下り勾配を有する洗面器置き台であって、前記洗面器を置くテーブルが、上下２段に構成され、上段の洗面器置きテーブルに比して、下段の洗面器置きテーブルの前面が１ｃｍ〜１５ｃｍ、好ましくは２ｃｍ〜６ｃｍ程度手前に張り出していることを特徴とする洗面器置き台である。この洗面器置き台をカランの吐水口の真下の浴室の洗い場の床に置き、洗面器を当該洗面器置き台の上段と下段の洗面器置きテーブルに載置することにより、カランの吐水口から吐水された湯は、その洗面器置き台の上段の洗面器置きテーブルに載置された洗面器に湯を溜める。やがて上段の洗面器置きテーブルに載置された洗面器から溢れ出た湯は、洗面器置きテーブルの勾配により、載置された洗面器の手前側から集中して溢れ出て垂下することとなる。この溢れ出て垂下する湯は、下段の洗面器置きテーブルに載置された洗面器内に垂下し、これにより上下２つの洗面器に連続して湯を溜めることとなる。下段の洗面器置きテーブルは上段の洗面器置きテーブルよりも前面が手前に張り出しているため、下段の洗面器置きテーブルの洗面器を上段の洗面器よりも手前に出っ張らせて載置しておくことができるので、上段の洗面器から溢れ出て垂下する湯を下段の洗面器置きテーブルに載置された洗面器の内側に受け止めて溜めることができる。
【０００７】
また、請求項２の発明により、請求項１記載の洗面器置き台において、上下２段の洗面器置きテーブルのうち、上段に相当する洗面器置きテーブルは有するが下段に相当する洗面器置きテーブルを有さない洗面器置き台であって、請求項１の洗面器置き台で下段に相当する洗面器置きテーブルに載置される洗面器は、浴室の洗い場の床に直接置くことを特徴とした洗面器置き台を提供する。請求項２の発明は、請求項１の洗面器置き台の上段の洗面器置きテーブルはそのまま洗面器置き台に有るが、下段の洗面器置きテーブルが無い、見た目の洗面器置きテーブルとしては１段だけで構成された洗面器置き台であるが、請求項１の洗面器置き台で下段に相当する洗面器置きテーブルに載置される洗面器は、直接浴室の洗い場の床の上に置くものとするので、上段の洗面器置きテーブルに載置した洗面器から溢れ出た湯を、浴室の洗い場の床に載置した洗面器をその溢れ出た湯を内側に受ける場所に置くことにより、上段の洗面器置きテーブルに載置された洗面器から溢れ出て垂下する湯を、浴室の洗い場の床の上に載置された洗面器に連続して湯を溜めることができる。
【０００８】
また、請求項３の発明により、請求項１記載の洗面器置き台において、請求項１記載の洗面器置きテーブルが上下２段に構成されていることに対して、洗面器置きテーブルが上段中段下段の３段に構成され、上段の洗面器置きテーブルに比して中段の洗面器置きテーブルの前面が１ｃｍ〜１５ｃｍ、好ましくは２ｃｍ〜６ｃｍ程度手前に張り出しており、中段の洗面器置きテーブルに比して下段の洗面器置きテーブルの前面が１ｃｍ〜１５ｃｍ、好ましくは２ｃｍ〜６ｃｍ程度手前に張り出していることを特徴とした洗面器置き台を提供することにより、洗面器を上段中段下段と上下方向３段に載置しかつ、上段の洗面器置きテーブルより中段の洗面器置きテーブル、中段の洗面器置きテーブルより下段の洗面器置きテーブルの前面が手前に張り出しているので、それに応じて洗面器は上段から下段に向かうに従って、上段の洗面器から溢れ出る湯をその内側に受けるよう手前側に載置することができる。これにより、請求項１においては連続して湯を溜めることが可能な洗面器が２つであったのに対して、請求項３の発明においては連続して３つの洗面器に湯を溜めることが可能となる。これにより２つの洗面器に湯を溜める場合に対して、２つめの洗面器から溢れ出て垂下する湯を排水することなく、３つめの洗面器に連続して湯を溜めることができるため、溜めることができる湯の量が増え、有効に利用することが可能となる。
【０００９】
また、請求項４の発明により、請求項３記載の洗面器置き台において、上中下３段の洗面器置きテーブルのうち、上段に相当する洗面器置きテーブルと中段に相当する洗面器置きテーブルは有するが下段に相当する洗面器置きテーブルを有さない洗面器置き台であって、請求項３の洗面器置き台で下段に相当する洗面器置きテーブルに載置される洗面器は、浴室の洗い場の床に直接置くことを特徴とした洗面器置き台を提供することにより、請求項４の発明は、請求項３の洗面器置き台の上段と中段の洗面器置きテーブルはそのまま洗面器置き台に有るが、下段の洗面器置きテーブルが無い、見た目の洗面器置きテーブルとしては２段だけで構成された洗面器置き台であるが、請求項３の洗面器置き台で下段に相当する洗面器置きテーブルに載置される洗面器は、請求項４の発明においては、直接浴室の洗い場の床の上に置くものとするので、上段の洗面器置きテーブルに載置した洗面器から溢れ出た湯を、中段の洗面器置きテーブルに載置した洗面器で受けて溜め、やがて中段の洗面器置きテーブルに載置された洗面器から溢れ出た湯をその下の、浴室の洗い場の床に載置した洗面器に垂下させ溜めることができる。
浴室の洗い場の床に載置した洗面器は、中段の洗面器置きテーブルに載置した洗面器から溢れ出た湯を内側に受ける場所に置くことにより、上段の洗面器置きテーブルに載置された洗面器から中段の洗面器置きテーブルに載置した洗面器へ、そして中段の洗面器置きテーブルに載置した洗面器から浴室の洗い場の床の上に載置された洗面器へと連続して湯を溜めることができる。
【００１０】
また、請求項５の発明により、請求項１乃至４に記載の洗面器置き台であって、前脚部の洗面器置きテーブルの支持部に回動機能、奥脚部の洗面器置きテーブルの支持部に蝶番機能を持たせ、もしくは全ての脚部の洗面器置きテーブルの支持部に回動機能を持たせることにより、折りたたみ可能とした洗面器置き台を提供することにより、洗面器置き台を使用しない場合に、折りたたんで収納することができ収納時の省スペース化を図ることができる。
【００１１】
また、請求項６の発明により、請求項１乃至５に記載の洗面器置き台において、洗面器置きテーブルを支持する脚部および板面の下部に個別に高さを微調整する調整部を有する洗面器置き台を提供することにより、浴室の洗い場の床の勾配によって、洗面器置き台の洗面器置きテーブルの勾配が変化し、洗面器置きテーブルに載置された洗面器の溢れ水が手前側に良好に溢れてこない場合、脚部および板面の下部に設けられた高さを微調整する調整部で各部の高さ調整を行うことで、洗面器からの溢れ水の発生箇所を希望する場所に調整することが可能となる。これにより、各家庭の浴室の洗い場の床の個別の勾配にも対応することができる。
【００１２】
また、請求項７の発明により、浴槽の外側に洗面器置き台を掛けるフックを有し、そのフックに洗面器を置くテーブルが支持される浴槽に縣架する洗面器置き台であり、前記洗面器を置くテーブルは奥から手前にかけて１％〜１５％、好ましくは３％〜８％程度の下り勾配を有する洗面器置き台であって、前記洗面器を置くテーブルが、上下２段に構成され、上段の洗面器置きテーブルに比して、下段の洗面器置きテーブルの前面が１ｃｍ〜１５ｃｍ、好ましくは２ｃｍ〜６ｃｍ程度手前に張り出していることを特徴とする洗面器置き台である。
請求項１乃至６に記載の洗面器置き台は、浴室の洗い場の床に置いて使用する自立型ものであるが、請求項７の発明は、浴槽の外側にフックで掛けて設置する浴槽懸架型の洗面器置き台で、この洗面器置き台をカランの吐水口の真下になるよう浴槽に掛けて設置し、洗面器を当該洗面器置き台の上段と下段の洗面器置きテーブルに載置することにより、カランの吐水口から吐水された湯は、その洗面器置き台の上段の洗面器置きテーブルに載置された洗面器に湯を溜める。やがて上段の洗面器置きテーブルに載置された洗面器から溢れ出た湯は、洗面器置きテーブルの勾配により、載置された洗面器の手前側から集中して溢れ出て垂下することとなる。この溢れ出て垂下する湯は、下段の洗面器置きテーブルに載置された洗面器内に垂下し、これにより上下２つの洗面器に連続して湯を溜めることとなる。下段の洗面器置きテーブルは上段の洗面器置きテーブルよりも前面が手前に張り出しているため、下段の洗面器置きテーブルの洗面器を上段の洗面器よりも手前に出っ張らせて載置しておくことができるので、上段の洗面器から溢れ出て垂下する湯を下段の洗面器置きテーブルに載置された洗面器の内側に受け止めて溜めることができる。
【００１３】
また、請求項８の発明により、請求項７記載の洗面器置き台において、上下２段の洗面器置きテーブルのうち、上段に相当する洗面器置きテーブルは有するが下段に相当する洗面器置きテーブルを有さない洗面器置き台であって、請求項７の洗面器置き台で下段に相当する洗面器置きテーブルに載置される洗面器は、浴室の洗い場の床に直接置くことを特徴とした洗面器置き台を提供する。請求項８の発明は、請求項７の洗面器置き台の上段の洗面器置きテーブルはそのまま洗面器置き台に有るが、下段の洗面器置きテーブルが無い、見た目の洗面器置きテーブルとしては１段だけで構成された洗面器置き台であるが、請求項７の洗面器置き台で下段に相当する洗面器置きテーブルに載置される洗面器は、直接浴室の洗い場の床の上に置くものとするので、上段の洗面器置きテーブルに載置した洗面器から溢れ出た湯を、浴室の洗い場の床に載置した洗面器をその溢れ出た湯を内側に受ける場所に置くことにより、上段の洗面器置きテーブルに載置された洗面器から溢れ出て垂下する湯を、浴室の洗い場の床の上に載置された洗面器に連続して湯を溜めることができる。
【００１４】
また、請求項９の発明により、請求項７記載の洗面器置き台において、請求項７記載の洗面器置きテーブルが上下２段に構成されていることに対して、洗面器置きテーブルが上段中段下段の３段に構成され、上段の洗面器置きテーブルに比して中段の洗面器置きテーブルの前面が１ｃｍ〜１５ｃｍ、好ましくは２ｃｍ〜６ｃｍ程度手前に張り出しており、中段の洗面器置きテーブルに比して下段の洗面器置きテーブルの前面が１ｃｍ〜１５ｃｍ、好ましくは２ｃｍ〜６ｃｍ程度手前に張り出していることを特徴とした洗面器置き台を提供することにより、洗面器を上段中段下段と上下方向３段に載置しかつ、上段の洗面器置きテーブルより中段の洗面器置きテーブル、中段の洗面器置きテーブルより下段の洗面器置きテーブルの前面が手前に張り出しているので、それに応じて洗面器は上段から下段に向かうに従って、上段の洗面器から溢れ出る湯をその内側に受けるよう手前側に載置することができる。これにより、請求項７においては連続して湯を溜めることが可能な洗面器が２つであったのに対して、請求項９の発明においては連続して３つの洗面器に湯を溜めることが可能となる。これにより２つの洗面器に湯を溜める場合に対して、２つめの洗面器から溢れ出て垂下する湯を排水することなく、３つめの洗面器に連続して湯を溜めることができるため、溜めることができる湯の量が増え、有効に利用することが可能となる。
【００１５】
また、請求項１０の発明により、請求項９記載の洗面器置き台において、上中下３段の洗面器置きテーブルのうち、上段に相当する洗面器置きテーブルと中段に相当する洗面器置きテーブルは有するが下段に相当する洗面器置きテーブルを有さない洗面器置き台であって、請求項９の洗面器置き台で下段に相当する洗面器置きテーブルに載置される洗面器は、浴室の洗い場の床に直接置くことを特徴とした洗面器置き台を提供することにより、請求項１０の発明は、請求項９の洗面器置き台の上段と中段の洗面器置きテーブルはそのまま洗面器置き台に有るが、下段の洗面器置きテーブルが無い、見た目の洗面器置きテーブルとしては２段だけで構成された洗面器置き台であるが、請求項９の洗面器置き台で下段に相当する洗面器置きテーブルに載置される洗面器は、請求項１０の発明においては、直接浴室の洗い場の床の上に置くものとするので、上段の洗面器置きテーブルに載置した洗面器から溢れ出た湯を、中段の洗面器置きテーブルに載置した洗面器で受けて溜め、やがて中段の洗面器置きテーブルに載置された洗面器から溢れ出た湯をその下の、浴室の洗い場の床に載置した洗面器に垂下させ溜めることができる。
浴室の洗い場の床に載置した洗面器は、中段の洗面器置きテーブルに載置した洗面器から溢れ出た湯を内側に受ける場所に置くことにより、上段の洗面器置きテーブルに載置された洗面器から中段の洗面器置きテーブルに載置した洗面器へ、そして中段の洗面器置きテーブルに載置した洗面器から浴室の洗い場の床の上に載置された洗面器へと連続して湯を溜めることができる。
【００１６】
また、請求項１１の発明により、請求項７乃至１０に記載の洗面器置き台において、浴槽に掛けるフックの洗面器置きテーブルの支持部を回動可能とすることにより、折りたたみ可能とした洗面器置き台を提供することにより、洗面器置き台を使用しない場合に、折りたたんで収納することができ収納時の省スペース化を図ることができる。
【００１７】
また、請求項１２の発明により、下に洗面器を置くことが想定される洗面器置きテーブルにあっては、当該洗面器置きテーブルに洗面器を載置した際に洗面器が穴に落ち傾いたり、洗面器が穴によりがたついたりしない大きさのカランの吐水口から吐水される湯を通過させる穴を有し、当該洗面器置きテーブルに載置された洗面器に対してカランの吐水口から吐水されている最中に、当該洗面器置きテーブルから洗面器をどけた際に当該洗面器置きテーブルの下に載置された洗面器に、カランの吐水口から吐水された湯が前記穴を通過し直接吐水されることを特徴としたカランの吐水口から吐水される湯を通過させる穴を有する洗面器置きテーブルにより構成される洗面器置き台であって、前記穴が上段の洗面器置きテーブルと中段の洗面器置きテーブルに有る場合には、上段の洗面器置きテーブルの穴と中段の洗面器置きテーブルの穴は、鉛直方向に同位置となるカランの吐水口から吐水される湯を通過させる穴を形成することを特徴とするカランの吐水口から吐水される湯を通過させる穴を有する洗面器置きテーブルにより構成される洗面器置き台であって、各家庭の浴室によって様々なカランの吐水口の長さに対して対応可能であることを特徴とするカランの吐水口から吐水される湯を通過させる穴を有する洗面器置きテーブルにより構成される洗面器置き台であるとともに、洗い場に対して浴槽が左右どちら側に配置されている浴室に対しても、そこに配置されているカランの吐水口から吐水される湯を通過させる穴を有する洗面器置きテーブルにより構成されることを特徴とした請求項１乃至１１の洗面器置き台を提供することにより、上段の洗面器置きテーブルに載置されカランの吐水口から吐水されている洗面器をどけた場合に当該洗面器置きテーブルの面で吐水される湯がはじかれ当該洗面器置きテーブルの面を流れ落ちるのではなくて、当該洗面器置きテーブルの下に載置された洗面器に直接カランの吐水口から吐水が行われることとなる。これにより当該洗面器置きテーブルからどけた洗面器を再び当該洗面器置きテーブルに戻すまでの間にカランの吐水口から吐水される湯を無駄にすることなく溜めることができる。
また、上段、中段、下段に洗面器を配する洗面器置き台にあっては、上段の洗面器置きテーブルと中段の洗面器置きテーブルに設けられたカランの吐水口から吐水される湯を通過させる穴を鉛直方向に同位置に配置することによって、上段の洗面器置きテーブルと中段の洗面器置きテーブルの双方に洗面器がおかれておらず、下段の洗面器置きテーブルもしくは浴室の洗い場の床に洗面器が載置されている場合には、カランの吐水口から吐水される湯は、上段の洗面器置きテーブルと中段の洗面器置きテーブルの双方に設けられたカランの吐水口から吐水される湯を通過させる穴が鉛直方向に同位置に形成されているため、カランの吐水口から吐水される湯は直接、下段の洗面器置きテーブルもしくは浴室の洗い場の床に載置された洗面器へと垂下し溜めることができる。
また、浴室におけるカランの吐水口の長さは各家庭の浴室によってまちまちである。請求項１２の発明は、決まった単一の長さのカランの吐水口にのみ適応するものではなく、様々な長さのカランの吐水口に対応するように考案されている。カランの吐水口の長さが長い場合は、そのカランの吐水口に、カランの吐水口から吐水される湯を通過させる穴を合わせて洗面器置き台を設置することができる。逆にカランの吐水口の長さが短い場合においても、カランの吐水口の直下に洗面器を置きその置いた洗面器に対して吐水することが考慮されているカランの吐水口においては、カランの吐水口から吐水される湯を通過させる穴の最もカランに近い部分において、カランの吐水口から吐水される湯をその下に載置した洗面器へと垂下させるように形成されている。
また、各家庭の浴室によって、浴室の洗い場の左側に浴槽がある場合と右側に浴槽がある場合がある。請求項１２の発明は、洗面器置き台を正面から見た場合に左右対称にカランの吐水口から吐水される湯を通過させる穴が形成されている。これにより浴室の洗い場に対して浴槽が左右どちら側に配置されている浴槽に対しても、有効に機能するようにされている。
これらのことにより、請求項１２のカランの吐水口から吐水される湯を通過させる穴を有した洗面器置き台は、上段の洗面器置きテーブルに載置された洗面器に湯を溜めるだけでなく、前記洗面器がどけられた際も、再び前記洗面器を洗面器置きテーブルに戻すまでの間にカランの吐水口から吐水される湯を、直接下段の洗面器に垂下させ溜めさせることができるので、わずかな時間に吐水される湯も無駄にしないことが可能となる。
【００１８】
また、請求項１３の発明により、下に洗面器を置くことが想定される洗面器置きテーブルにあっては、その洗面器置きテーブル上面の両サイドの縁から手前側の縁にかけて、隆起した土手が築かれ、その隆起した土手はその洗面器置きテーブルの手前側で適宜な間隔を有して切れていることを特徴とした洗面器置きテーブルを有する請求項１乃至１２の洗面器置き台を提供する。これにより、上段の洗面器置きテーブルに載置された洗面器の溢れ湯が、きれいに下の洗面器に垂下せずに、当該洗面器が載置された洗面器置きテーブル面に垂下されてしまう場合も、両サイドから手前側に隆起して築かれた土手と当該洗面器置きテーブルの勾配により、その湯を当該洗面器置きテーブルの手前側の土手の切れ目に集めることができる。この土手の切れ目から集められた湯が下の洗面器内に垂下するため、たとえ当該洗面器置きテーブル面上に溢れ出た湯があっても、下段の洗面器へと導き有効利用することが可能となる。
【００１９】
また、請求項１４の発明により、洗面器置きテーブルの表面に、凹凸を設け、または、ざらつきを設け、または、表面に滑り止めのシート類を貼り付ける事により、洗面器置きテーブルの表面に滑り止め加工を施した請求項１乃至１３の洗面器置き台を提供することにより、勾配をもつ洗面器置きテーブルに載置された洗面器がずれ動くことが防止される。
本発明の洗面器置き台においては、洗面器が上下に階層をもって載置され、上段の洗面器から溢れ出た湯を下段の洗面器内に受けて湯を溜めるという構成をなしているため、洗面器置きテーブルに施される滑り止めは、単に洗面器をその載置した洗面器置きテーブルに滑らないように止め置くだけでなく、下段に載置した洗面器に対して洗面器から溢れ出る湯の垂下する位置を三次元上固定し、洗面器がずれることにより、垂下する溢れ湯が下の洗面器に内側に入らずに排水されてしまうことを防止するものである。
【００２０】
また、請求項１５の発明により、洗面器置きテーブルを網目、または格子で構成することを特徴とした請求項１乃至１１の洗面器置き台を提供することにより、下に洗面器が載置されている洗面器置きテーブルに載置された洗面器に、カランの吐水口から吐水されている最中に当該洗面器を当該洗面器置きテーブルからどけた場合、吐水されている湯は、網目または格子の目から当該洗面器置きテーブルの下の洗面器に直接垂下され、上段で吐水されている洗面器をどけても、カランの吐水口から吐水されている湯は連続して下段の洗面器へ貯水を行うことが可能となる。  
【００２１】
本発明の洗面器置き台は、浴室等の水場で使用されるものであるため、耐水性、耐熱性、防食性、強度及び工業製品としての量産の点から、アルミニウム等の軽金属やステンレス鋼及び耐水、耐熱塗装された鋼（Steel）又は、プラスチック類により成形されることが好ましい。
【発明の効果】
【００２２】
本発明の洗面器置き台は、上下に複数段の階層を設けて洗面器を載置することができるため、カランの吐水口から吐水される湯を、上段から下段の洗面器へと連続して溜めることができる。また、洗面器置きテーブルに吐水を通過させる穴を設け、また、洗面器置きテーブルを網目や格子とすることで、上段の洗面器を、カランの吐水口から吐水を受けている最中に洗面器置きテーブルからどけても、その下に載置された洗面器へその吐水を間断なく溜めることができる。これらによりカランの吐水口から吐水される湯の無駄を限りなく少なくすることができるという利点がある。
【図面の簡単な説明】
【００２３】
【図１】図１は自立型の２段の洗面器置き台の構成例のうち浴室での実施方法を示した斜視図である。（実施例１）
【図２】図２は図１の自立型の２段の洗面器置き台の構成例の斜視図である。
【図３】図３は図２の自立型の２段の洗面器置き台の構成例の平面図、側面図、正面図、背面図である。
【図４】図４は自立型の２段の洗面器置き台で、洗面器置きテーブルが上段のみで構成された洗面器置き台の構成例の斜視図である。
【図５】図５は自立型の３段の洗面器置き台の構成例の斜視図である。
【図６】図６は自立型３段の洗面器置き台で、洗面器置きテーブルが上段と中段のみで構成された洗面器置き台の構成例の斜視図である。
【図７】図７は自立型の洗面器置き台の構成例の、折りたたみの実施方法１を示した斜視図である。
【図８】図８は図７の平面図、側面図、正面図、背面図である。
【図９】図９は自立型の洗面器置き台の構成例の、折りたたみの実施方法２を示した斜視図である。
【図１０】図１０は図９の平面図、側面図、正面図、背面図である。
【図１１】図１１は自立型の洗面器置き台の高さを微調整する調整部の構成例を示す正面図である。
【図１２】図１２は浴槽懸架型の２段の洗面器置き台の構成例のうち浴室での実施方法を示した斜視図である。（実施例２）
【図１３】図１３は図１２の浴槽懸架型の２段の洗面器置き台の構成例の斜視図である。
【図１４】図１４は図１３の浴槽懸架型の２段の洗面器置き台の構成例の平面図、側面図、正面図、背面図である。
【図１５】図１５は浴槽懸架型の２段の洗面器置き台で、洗面器置きテーブルが上段のみで構成された洗面器置き台の構成例の斜視図と側面図である。
【図１６】図１６は浴槽懸架型の３段の洗面器置き台の構成例の斜視図と側面図である。
【図１７】図１７は浴槽懸架型の３段の洗面器置き台で、洗面器置きテーブルが上段と中段のみで構成された洗面器置き台の構成例の斜視図と側面図である。
【図１８】図１８は浴槽懸架型の洗面器置き台の構成例の、折りたたみの実施方法を示した斜視図である。
【図１９】図１９は図１８の平面図、側面図、正面図、背面図である。
【図２０】図２０はカランの吐水口から吐水される湯を通過させる穴の実施方法を示した斜視図である。
【図２１】図２１は洗面器置きテーブルに、凹凸、ざらつき、滑り止めシート類を張ることにより洗面器置きテーブルに滑り止め加工をした構成例の斜視図である。
【図２２】図２２は洗面器置きテーブルが網目で構成された洗面器置き台の構成例を示した斜視図である。
【図２３】図２３は洗面器置きテーブルが格子で構成された洗面器置き台の構成例を示した斜視図である。
【図２４】図２４は洗面器置きテーブルを脚部ではなく平面の板面で支持している洗面器置き台の構成例を示した斜視図である。
【図２５】図２５は洗面器置きテーブルを支持する板面が局面である洗面器置き台の構成例を示した斜視図である。
【図２６】図２６は洗面器置きテーブルが円形である洗面器置き台の構成例を示した斜視図である。
【図２７】図２７は洗面器置きテーブルがおおよそ４分の１の円形である洗面器置き台の構成例を示した斜視図である。
【図２８】図２８は洗面器置きテーブルがハート型である洗面器置き台の構成例を示した斜視図である。
【図２９】図２９は洗面器置きテーブルが円形であり、洗面器置き台の脚部が４本である洗面器置き台の構成例を示した斜視図である。
【図３０】図３０は洗面器置きテーブルが矩形であり、洗面器置き台の脚部が４本である洗面器置き台の構成例を示した斜視図である。
【図３１】図３１は洗面器置きテーブルが矩形である、浴槽懸架型の洗面器置き台の構成例を示した斜視図である。
【図３２】図３２は洗面器置きテーブルが矩形の手前の角をおとしたものである、浴槽懸架型の洗面器置き台の構成例を示した斜視図である。
【図３３】図３３は洗面器置きテーブルがハート型である、浴槽懸架型の洗面器置き台の構成例を示した斜視図である。
【図３４】図３４は浴槽に掛けるフックが板面である、浴槽懸架型の洗面器置き台の構成例を示した斜視図である。
【図３５】図３５は浴室のカランの吐水口の可動範囲を示した平面図である。
【図３６】図３６は浴槽が洗い場の左側にある浴室における、洗面器置きテーブルに設けたカランの吐水口からの吐水を下に通過させる穴と、この穴に対するカランの吐水口の可動対応範囲及び、カランの吐水口の長短による洗面器置きテーブルに設けたカランの吐水口からの吐水を下に通過させる穴の適応の状況を示す平面図である。
【図３７】図３７は浴槽が洗い場の右側にある浴室における、洗面器置きテーブルに設けたカランの吐水口からの吐水を下に通過させる穴と、この穴に対するカランの吐水口の可動対応範囲及び、カランの吐水口の長短による洗面器置きテーブルに設けたカランの吐水口からの吐水を下に通過させる穴の適応の状況を示す平面図である。
【発明を実施するための形態】
【００２４】
本発明を実施するための形態を、自立型の洗面器置き台を実施例１として、浴槽懸架型の洗面器置き台を実施例２として図を用いて説明するとともに、各実施例に分類されるいくつかの形態も図を用いて以下に説明を行う。
【実施例１】
【００２５】
図１は、本発明の実施例１として、自立型の洗面器置き台の実施例の浴室の洗い場での使用の状況を示したものである。ここでは脚部５によって支持された洗面器置きテーブル１及び洗面器置きテーブル２が、上下２段に階層を成し、カランの吐水口２５から吐水される湯２７が、上段の洗面器置きテーブル１に載置された洗面器２４に注がれ溜められ、やがて前記洗面器２４から湯が溢れ出る。洗面器置きテーブルは、奥側から手前側に下り勾配を有しているので、溢れ出る湯２８は前記洗面器２４の手前側から集中して溢れ出る。この溢れ出た湯２８は、下段の洗面器置きテーブル２に載置された洗面器２４に垂下し湯を溜め始める。下段の洗面器置きテーブル２は、洗面器置きテーブル１よりも前面が手前に張り出しているので、下段の洗面器置きテーブル２に載置される洗面器２４は、上段の洗面器置きテーブル１に載置された洗面器２４から溢れ出て垂下する湯２８をその内側に受けるように洗面器置きテーブル２に載置することができる。これによりカランの吐水口２５から吐水される湯２７を上段の洗面器置きテーブル１に載置された洗面器２４から下段の洗面器置きテーブル２に載置された洗面器２４へと連続して溜めることができる。
【００２６】
また図１において、上段の洗面器置きテーブル１に載置された洗面器２４を、その湯を使用するために洗面器置きテーブル１から一時的にどかした際に、上段の洗面器置きテーブル１に設けられたカランの吐水口から吐水される湯を通過させる穴４によって、吐水される湯２７は、上段の洗面器置きテーブル１の面で遮られ飛び散ることなしに、下段の洗面器置きテーブル２に載置された洗面器２４へと直接吐水することが可能となるため、吐水される湯２７を常に有効に溜めることができる。
【００２７】
また、上段の洗面器置きテーブル１には、両サイドから手前側に隆起した土手６が設けられ、土手６は、洗面器置きテーブル１の手前側で、適宜の間隔をもって切れている。この土手６により、仮に上段の洗面器置きテーブル１に載置された洗面器２４からの溢れ湯がきれいに手前側から垂下せず、一部洗面器置きテーブル１の面に垂下した場合においても、洗面器置きテーブル１に垂下した湯は、勝手な箇所から下に垂下するのではなく、洗面器置きテーブル１に設けられた勾配と土手６により洗面器置きテーブル１の土手６の切れた部分から下へと垂下することとなり、下段の洗面器置きテーブル２に載置された洗面器へと垂下されることとなる。これにより、上段の洗面器置きテーブル１に載置された洗面器２４から溢れた湯はすべて下段の洗面器置きテーブル２に載置された洗面器２４へと垂下し溜めることができることとなる。
【００２８】
洗面器置きテーブル１の配置される高さであるが、洗面器置きテーブル１に洗面器２４を載置した際にカランのハンドル２６の開閉操作に邪魔にならないようにする方が好ましい。そのため上段の洗面器置きテーブル１に洗面器２４を載置した際に、前記洗面器２４の上面が、カランのハンドル２６よりも低くなる高さで洗面器置きテーブル１が配置されることが好ましい。
また、洗面器置きテーブル２の配置される高さであるが、洗面器置きテーブル１に対してなるべく間隔を広くとる方が好ましい。洗面器置きテーブル１と洗面器置きテーブル２の間隔が広ければ広いほど、洗面器置きテーブル２に洗面器２４を載置した際、洗面器置きテーブル２に載置した洗面器２４の中に溜めた湯でタオル等を洗う場合に、支障なくタオル等を洗うことができる。洗面器置きテーブル１と洗面器置きテーブル２の間隔が狭いと、洗面器置きテーブル２に載置された洗面器の中でタオル等を洗う場合に、上段の洗面器置きテーブル１に手が当たってしまい快適にタオル等を洗うことができないものとなる。
【００２９】
図２は、図１の洗面器置き台の浴室における使用例のうち、本発明の自立型の２段の洗面器置き台の構成例を示した斜視図である。
【００３０】
図３は、図２の洗面器置き台を上から見た平面図と、平面図に示した各方向から洗面器置き台を見た場合の側面図、正面図、背面図である。平面図、側面図により、上段の洗面器置きテーブル１に対して下段の洗面器置きテーブル２の前面が手前に張り出していることが示されている。また、各洗面器置きテーブルは、奥側から手前側に下り勾配を有していることが図示されている。
【００３１】
図４は、図２に示される洗面器置き台の構成例のうち下段の洗面器置きテーブル２を有さない洗面器置き台である。下段の洗面器置きテーブル２に載置される洗面器を浴室の洗い場の床に直接載置することにより、洗面器置き台の構成要素を減らしながら、図２の洗面器置き台の構成例と同様にカランの吐水口２５から吐水される湯２７を上段の洗面器置きテーブル１に載置した洗面器に溜め、上段の洗面器置きテーブル１に載置した洗面器から溢れ出た湯２８を浴室の洗い場の床に載置した洗面器に溜める事ができる。ただし、浴室の洗い場の床に載置される洗面器の勾配は、浴室の洗い場の床の勾配に準ずるものとなる。また図４に図示されているように洗面器置き台の安定を図るために、脚部を安定させる横棒１２を洗面器置き台の構成要素として加えても良い。
【００３２】
図５は、図２に示される洗面器置き台の構成例の上段の洗面器置きテーブル１と下段の洗面器置きテーブル２の間に中段の洗面器置きテーブル３を設け、上段、中段、下段の上下３段の洗面器置きテーブルを有する洗面器置き台の実施例を示したものである。各洗面器置きテーブルの間隔は、等間隔でも良いが、段落番号００２８に記載するように上段の洗面器置きテーブル１は洗面器２４を載置した際に洗面器２４の上面がカランのハンドル２６の高さより低くなることが好ましく、中段の洗面器置きテーブル３と下段の洗面器置きテーブル２の間隔はできるだけ広げた方が好ましい。それは、同じく段落番号００２８に記載するように下段の洗面器置きテーブル２に載置した洗面器２４の中でタオル等を洗う際に、中段の洗面器置きテーブルとの間隔が狭いと、中段の洗面器置きテーブル３に手が当たってしまい快適にタオル等を洗うことが妨げられることによる。
【００３３】
また、図５においては、下に洗面器を置くことが想定される洗面器置きテーブルにあっては、その洗面器置きテーブルに載置された洗面器を洗面器置きテーブルからどかした場合、カランの吐水口から吐水される湯がその洗面器置きテーブル面に当たってその洗面器置きテーブル面で湯が止まることがないための、カランの吐水口から吐水される湯をその洗面器置きテーブルの下に載置された洗面器に吐水して溜めることを可能とする下段への吐水の通過穴を有する洗面器置きテーブルを実施するために、中段の洗面器置きテーブル３においても、下に洗面器を置くことが想定される洗面器置きテーブルであるため、上段の洗面器置きテーブル１と同様にカランの吐水口から吐水される湯２７を下段の洗面器置きテーブル２に載置された洗面器に、上段の洗面器置きテーブル１の洗面器と中段の洗面器置きテーブル３の洗面器の両方が洗面器置きテーブルに載置されていない場合に、カランの吐水口から吐水される湯２７を下段の洗面器置きテーブル２に載置された洗面器に直接吐水するための穴４を設けても良い。
【００３４】
また、図５においては、下に洗面器を置くことが想定される洗面器置きテーブルにあっては、その洗面器置きテーブル上面の両サイドの縁から手前側の縁にかけて、隆起した土手が築かれ、その隆起した土手はその洗面器置きテーブルの手前側で適宜な間隔を有して切れていることを特徴とした洗面器置きテーブルを実施するために、中段の洗面器置きテーブル３においても、下に洗面器を置くことが想定される洗面器置きテーブルであるため、上段の洗面器置きテーブル１と同様に洗面器置きテーブル上面の両サイドの縁から手前側の縁にかけて、隆起した土手６が築かれ、その隆起した土手６はその洗面器置きテーブルの手前側で適宜な間隔を有して切れている構成を有する。これにより、中段の洗面器置きテーブル３の上面にこぼれた湯も、勝手な箇所から垂下するのではなく、洗面器置きテーブル１と同様に洗面器置きテーブル３に設けられた勾配と土手６により、洗面器置きテーブル３の土手６の切れた部分から下へと垂下することとなり、下段の洗面器置きテーブル２に載置された洗面器へと垂下されることとなる。これにより、洗面器置きテーブル１及び洗面器置きテーブル３に載置された洗面器から溢れた湯はすべて下段の洗面器置きテーブル２に載置された洗面器へと垂下し溜めることができることとなる。
【００３５】
また、図５の実施例においても、上段の洗面器置きテーブル１よりも中段の洗面器置きテーブル３は前面が手前に張り出しており、中段の洗面器置きテーブル３よりも下段の洗面器置きテーブル２は前面が手前に張り出しているため、上段に載置された洗面器の溢れた湯を中段に載置された洗面器が受け、中段に載置された洗面器から溢れた湯を下段の洗面器が受けることが可能となる。これにより、上段の洗面器から中段の洗面器、下段の洗面器と連続して湯を溜めることができ、より一層水資源を無駄にせずに利用することが可能となる。
【００３６】
図６は、図５に示される洗面器置き台の構成例のうち下段の洗面器置きテーブル２を有さない洗面器置き台である。図５において下段の洗面器置きテーブル２に載置される洗面器を浴室の洗い場の床に直接載置することにより、図５の構成例として示す洗面器置き台の構成要素を減らしながら、図５の構成例の洗面器置き台と同様に、上段の洗面器置きテーブル１に載置した洗面器から中段の洗面器置きテーブル３に載置した洗面器、そして下段の浴室の洗い場の床に載置した洗面器へと連続して湯を垂下させて溜めることができる。ただし、浴室の洗い場の床に載置される洗面器の勾配は、浴室の洗い場の床の勾配に準ずるものとなる。
【００３７】
図７は、前脚部の洗面器置きテーブルの支持部９に回動機能、奥脚部の洗面器置きテーブルの支持部１３に蝶番機能を持たせることにより折りたたみ可能とした洗面器置き台の構成例の斜視図である。ここでは折りたたみの実施例として図２の洗面器置き台の構成例を代表例として描いたが、図５、図６のいずれの洗面器置き台の構成例でも同様な方法により折りたたみ可能であり、図４においては、脚部を安定させる横棒１２を設けない場合には同様の方法により折りたたみが可能であるのでそれらの図は省略した。また、図４に示される洗面器置き台の構成例に関しては、脚部を安定させる横棒１２を設けた場合には、脚部を安定させる横棒１２と脚部５の接続部分で、奥の脚部と手前の脚部に反対方向に折りたたむ蝶番機能を持たせることにより同様に折りたたみ可能となるが、図としては省略した。
【００３８】
図８は、図７の折りたたんだ状態の洗面器置き台の構成例を上から見た平面図と、平面図に示した各方向から洗面器置き台を見た場合の側面図、正面図、背面図である。
洗面器置きテーブルの奥の脚部との支持部に蝶番機能１３をもたせ、洗面器置きテーブルの前脚部との支持部９を回動可能とすることで洗面器置き台は、図８のＤ−Ｄ’側面図に示されるように折りたたみが可能となり、これにより収納時と移動時の省スペース化を図ることができる。
洗面器置きテーブルの上面で奥の脚部に当たる箇所にストッパー１４を設けることにより、洗面器置き台を使用する際に洗面器置きテーブルが脚部に対して定まった角度で止まり、洗面器置きテーブルと脚部の使用時の角度を固定することが可能であるが、蝶番機能１３及び回動部９の可動範囲を定めることにより洗面器置きテーブルと脚部の使用時の角度を固定することもできる。
【００３９】
図９は、前脚部の洗面器置きテーブルの支持部９と奥脚部の洗面器置きテーブルの支持部１０に回動機能をもたせることにより折りたたみ可能とした洗面器置き台の構成例の斜視図である。ここでも折りたたみの実施例として図２の洗面器置き台の構成例を代表例として描いたが、図５、図６のいずれの洗面器置き台の構成例でも同様の方法により折りたたみ可能であり、図４においては、脚部を安定させる横棒１２を設けない場合には同様な方法により折りたたみが可能であるのでそれらの図は省略した。また、図４に示される洗面器置き台の構成例に関しては、脚部を安定させる横棒１２を設けた場合には、脚部を安定させる横棒１２と脚部５の接続部分で、奥の脚部と手前の脚部に反対方向に折りたたむ蝶番機能を持たせることにより同様に折りたたみ可能となるが、図としては省略した。
【００４０】
図１０は、図９の折りたたんだ状態の洗面器置き台の構成例を上から見た平面図と、平面図に示した各方向から洗面器置き台を見た場合の側面図、正面図、背面図である。
洗面器置きテーブルの全脚部との支持部９及び支持部１０を回動可能とすることで洗面器置き台は、図１０のＧ−Ｇ’側面図に示されるように折りたたみが可能となり、これにより収納時と移動時の省スペース化を図ることができる。
洗面器置きテーブルの上面で奥の脚部に当たる箇所にストッパー１４を設けることにより、洗面器置き台を使用する際に洗面器置きテーブルが脚部に対して定まった角度で止まり、洗面器置きテーブルと脚部の使用時の角度を固定することが可能であるが、回動部９及び回動部１０の回動範囲を定めることにより洗面器置きテーブルと脚部の使用時の角度を固定することもできる。
【００４１】
図１１は、個別に高さを微調整する調整ネジ１５を、洗面器置き台の各脚部５の下に設けたものを描いた正面図である。
通常浴室の洗い場の床は、床面上の水を排水溝へと排水するためにあらかじめ勾配が設けられている。しかしながら、各家庭それぞれの浴室の洗い場の床に設けられた勾配は、すべて同一であるということはない。
本発明の洗面器置き台を様々な家庭の浴室の洗い場の床に設置した場合、それぞれの浴室の洗い場の床独自の勾配により、本発明の洗面器置き台の洗面器置きテーブルの勾配の大きさも方向も、その設置された浴室の洗い場の床の勾配に応じて変化することとなる。この場合浴室の洗い場の床の勾配の状態によっては、上段の洗面器置きテーブルに載置された洗面器の手前側から洗面器に溜まった湯があふれ出すのではなく、少しずれた側面から湯が溢れ出すことも想定される。この場合、溢れ出た湯が下段の洗面器置きテーブルに載置された洗面器に対して直接垂下せずに、一旦上段の洗面器置きテーブル面に溢れたその後、下段の洗面器置きテーブルに載置された洗面器に垂下する場合や、もっと勾配が変わってしまえば、下の洗面器置きテーブルに載置された洗面器に全く垂下せずに、下の洗面器置きテーブルの洗面器の外に垂下し、排水されてしまうことも考えられる。
こういった場合に高さを微調整する調整ネジ１５を調整し、洗面器置きテーブルの勾配を任意に変更し、各洗面器置きテーブルに載置された洗面器の手前側から洗面器の溢れ湯が垂下されるようにすることが可能となる。これにより、各家庭においてまちまちな浴室の床に設けられた勾配に自立型の洗面器置き台を設置した際に、洗面器置きテーブルの勾配を、任意に希望する勾配とすることができる。
図示しないが、板面により洗面器置きテーブルが支持される洗面器置き台の場合においても、高さを微調整する調整ネジ１５を浴室の洗い場の床に接する下部に適宜設けることで、同様に調整を行うことが可能である。
個別に高さを微調整する調整ネジ１５を洗面器置き台の脚部または板面の下部に設けることにより、様々な浴室の洗い場の床の個別の勾配にも対応することができる。  
【実施例２】
【００４２】
図１２は、本発明の実施例２として、浴槽の外側にフックで掛けて洗面器置き台を使用した状況を示したものである。ここでは浴槽の外側に掛けられたフック７によって支持された洗面器置きテーブル１及び洗面器置きテーブル２が、上下２段に階層を成し、カランの吐水口２５から吐水される湯２７が、上段の洗面器置きテーブル１に載置された洗面器２４に注がれ溜められ、やがて前記洗面器２４から湯が溢れ出る。洗面器置きテーブルは、奥側から手前側に下り勾配を有しているので、溢れ出る湯２８は前記洗面器２４の手前側から集中して溢れ出る。この溢れ出た湯２８は、下段の洗面器置きテーブル２に載置された洗面器２４に垂下し湯を溜め始める。下段の洗面器置きテーブル２は、洗面器置きテーブル１よりも前面が手前に張り出しているので、下段の洗面器置きテーブル２に載置される洗面器２４は、上段の洗面器置きテーブル１に載置された洗面器２４から溢れ出て垂下する湯２８をその内側に受けるように洗面器置きテーブル２に載置することができる。これによりカランの吐水口２５から吐水される湯２７を上段の洗面器置きテーブル１に載置された洗面器２４から下段の洗面器置きテーブル２に載置された洗面器２４へと連続して溜めることができる。
【００４３】
また図１２において、上段の洗面器置きテーブル１に載置された洗面器２４を、その湯を使用するために洗面器置きテーブル１から一時的にどかした際に、上段の洗面器置きテーブル１に設けられたカランの吐水口から吐水される湯を通過させる穴４によって、吐水される湯２７は、上段の洗面器置きテーブル１の面で遮られ飛び散ることなしに、下段の洗面器置きテーブル２に載置された洗面器２４へと直接吐水することが可能となるため、吐水される湯２７を常に有効に溜めることができる。
【００４４】
また、上段の洗面器置きテーブル１には、両サイドから手前側に隆起した土手６が設けられ、土手６は、洗面器置きテーブル１の手前側で、適宜の間隔をもって切れている。この土手６により、仮に上段の洗面器置きテーブル１に載置された洗面器２４からの溢れ湯がきれいに手前側から垂下せず、一部洗面器置きテーブル１の面に垂下した場合においても、洗面器置きテーブル１に垂下した湯は、勝手な箇所から下に垂下するのではなく、洗面器置きテーブル１に設けられた勾配と土手６により洗面器置きテーブル１の土手６の切れた部分から下へと垂下することとなり、下段の洗面器置きテーブル２に載置された洗面器へと垂下されることとなる。これにより、上段の洗面器置きテーブル１に載置された洗面器２４から溢れた湯はすべて下段の洗面器置きテーブル２に載置された洗面器２４へと垂下し溜めることができることとなる。
【００４５】
洗面器置きテーブル１の配置される高さであるが、洗面器置きテーブル１に洗面器２４を載置した際にカランのハンドル２６の開閉操作に邪魔にならないようにする方が好ましい。そのため上段の洗面器置きテーブル１に洗面器２４を載置した際に、前記洗面器２４の上面が、カランのハンドル２６よりも低くなる高さで洗面器置きテーブル１が配置されることが好ましい。
また、洗面器置きテーブル２の配置される高さであるが、洗面器置きテーブル１に対してなるべく間隔を広くとる方が好ましい。洗面器置きテーブル１と洗面器置きテーブル２の間隔が広ければ広いほど、洗面器置きテーブル２に洗面器２４を載置した際、洗面器置きテーブル２に載置した洗面器２４の中に溜めた湯でタオル等を洗う場合に、支障なくタオル等を洗うことができる。洗面器置きテーブル１と洗面器置きテーブル２の間隔が狭いと、洗面器置きテーブル２に載置された洗面器の中でタオル等を洗う場合に、上段の洗面器置きテーブル１に手が当たってしまい快適にタオル等を洗うことができないものとなる。
【００４６】
図１３は、図１２の洗面器置き台の浴室における使用例のうち、本発明の浴槽懸架型の２段の洗面器置き台の構成例を示した斜視図である。
【００４７】
図１４は、図１３の洗面器置き台を上から見た平面図と、平面図に示した各方向から洗面器置き台を見た場合の側面図、正面図、背面図である。平面図、側面図により、上段の洗面器置きテーブル１に対して下段の洗面器置きテーブル２の前面が手前に張り出していることが示されている。また、各洗面器置きテーブルは、奥側から手前側に下り勾配を有していることが図示されている。
また、浴槽に掛けるフック７と洗面器置きテーブルの支持部１１の他に、洗面器置きテーブルをフックに支持する補助として吊り下げ支持金具８を用いることにより、洗面器置きテーブルに載置された洗面器に湯が溜められた際の重量に対して、洗面器置きテーブルの定められた勾配が変化することを防止することもできるものである。吊り下げ金具８は、洗面器の容量を１０リットル以下と想定するなら１０キログラム前後の重量に耐え得るものであれば良く、必ずしも金属製でなくても良い。
また、図示しないが、吊り下げ金具８は洗面器置きテーブルをフック７から吊り下げる形で支持を補助しているが、洗面器置きテーブルの下に配置してフック７から洗面器置きテーブルが下がらないように洗面器置きテーブルを下側から支持するものでも構わない。
【００４８】
図１５は、図１３に示される洗面器置き台の構成例のうち下段の洗面器置きテーブル２を有さない洗面器置き台である。下段の洗面器置きテーブル２に載置される洗面器を浴室の洗い場の床に直接載置することにより、洗面器置き台の構成要素を減らしながら、図１３の洗面器置き台の構成例と同様にカランの吐水口２５から吐水される湯２７を上段の洗面器置きテーブル１に載置した洗面器に溜め、上段の洗面器置きテーブル１に載置した洗面器から溢れ出た湯２８を浴室の洗い場の床に載置した洗面器に溜める事ができる。ただし、浴室の洗い場の床に載置される洗面器の勾配は、浴室の洗い場の床の勾配に準ずるものとなる。
図１５においては、斜視図だけでは洗面器置き台と浴槽及び浴室の洗い場の床面との関係性が捉えにくいので、側面図を描き洗面器置き台と浴槽及び浴室の洗い場の床面との関係性が分かるようにした。以下の洗面器置き台の構成例を示す図に関しても、適宜必要に応じて側面図を記載した。
【００４９】
図１６は、図１３に示される洗面器置き台の構成例の上段の洗面器置きテーブル１と下段の洗面器置きテーブル２の間に中段の洗面器置きテーブル３を設け、上段、中段、下段の上下３段の洗面器置きテーブルを有する洗面器置き台の実施例を示したものである。各洗面器置きテーブルの間隔は、等間隔でも良いが、段落番号００４５に記載するように上段の洗面器置きテーブル１は洗面器２４を載置した際に洗面器２４の上面がカランのハンドル２６の高さより低くなることが好ましく、中段の洗面器置きテーブル３と下段の洗面器置きテーブル２の間隔はできるだけ広げた方が好ましい。それは、同じく段落番号００４５に記載するように下段の洗面器置きテーブル２に載置した洗面器２４の中でタオル等を洗う際に、中段の洗面器置きテーブルとの間隔が狭いと、中段の洗面器置きテーブル３に手が当たってしまい快適にタオル等を洗うことが妨げられることによる。
【００５０】
また、図１６においては、下に洗面器を置くことが想定される洗面器置きテーブルにあっては、その洗面器置きテーブルに載置された洗面器を洗面器置きテーブルからどかした場合、カランの吐水口から吐水される湯がその洗面器置きテーブル面に当たってその洗面器置きテーブル面で湯が止まることがないための、カランの吐水口から吐水される湯をその洗面器置きテーブルの下に載置された洗面器に吐水して溜めることを可能とする下段への吐水の通過穴を有する洗面器置きテーブルを実施するために、中段の洗面器置きテーブル３においても、下に洗面器を置くことが想定される洗面器置きテーブルであるため、上段の洗面器置きテーブル１と同様にカランの吐水口から吐水される湯２７を下段の洗面器置きテーブル２に載置された洗面器に、上段の洗面器置きテーブル１の洗面器と中段の洗面器置きテーブル３の洗面器の両方が洗面器置きテーブルに載置されていない場合に、カランの吐水口から吐水される湯２７を下段の洗面器置きテーブル２に載置された洗面器に直接吐水するための穴４を設けても良い。
【００５１】
また、図１６においては、下に洗面器を置くことが想定される洗面器置きテーブルにあっては、その洗面器置きテーブル上面の両サイドの縁から手前側の縁にかけて、隆起した土手が築かれ、その隆起した土手はその洗面器置きテーブルの手前側で適宜な間隔を有して切れていることを特徴とした洗面器置きテーブルを実施するために、中段の洗面器置きテーブル３においても、下に洗面器を置くことが想定される洗面器置きテーブルであるため、上段の洗面器置きテーブル１と同様に洗面器置きテーブル上面の両サイドの縁から手前側の縁にかけて、隆起した土手６が築かれ、その隆起した土手６はその洗面器置きテーブルの手前側で適宜な間隔を有して切れている構成を有する。これにより、中段の洗面器置きテーブル３の上面にこぼれた湯も、勝手な箇所から垂下するのではなく、洗面器置きテーブル１と同様に洗面器置きテーブル３に設けられた勾配と土手６により、洗面器置きテーブル３の土手６の切れた部分から下へと垂下することとなり、下段の洗面器置きテーブル２に載置された洗面器へと垂下されることとなる。これにより、洗面器置きテーブル１及び洗面器置きテーブル３に載置された洗面器から溢れた湯はすべて下段の洗面器置きテーブル２に載置された洗面器へと垂下し溜めることができることとなる。
【００５２】
また、図１６の実施例においても、上段の洗面器置きテーブル１よりも中段の洗面器置きテーブル３は前面が手前に張り出しており、中段の洗面器置きテーブル３よりも下段の洗面器置きテーブル２は前面が手前に張り出しているため、上段に載置された洗面器の溢れた湯を中段に載置された洗面器が受け、中段に載置された洗面器から溢れた湯を下段の洗面器が受けることが可能となる。これにより、上段の洗面器から中段の洗面器、下段の洗面器と連続して湯を溜めることができ、より一層水資源を無駄にせずに利用することが可能となる。
【００５３】
図１７は、図１６に示される洗面器置き台の構成例のうち下段の洗面器置きテーブル２を有さない洗面器置き台である。図１６において下段の洗面器置きテーブル２に載置される洗面器を浴室の洗い場の床に直接載置することにより、図１６の構成例として示す洗面器置き台の構成要素を減らしながら、図１６の構成例の洗面器置き台と同様に、上段の洗面器置きテーブル１に載置した洗面器から中段の洗面器置きテーブル３に載置した洗面器、そして下段の浴室の洗い場の床に載置した洗面器へと連続して湯を垂下させて溜めることができる。ただし、浴室の洗い場の床に載置される洗面器の勾配は、浴室の洗い場の床の勾配に準ずるものとなる。
【００５４】
図１８は、洗面器置き台のフック７に対する洗面器置きテーブルの支持部１１を回動可能とすることにより、折りたたみ可能とした洗面器置き台の構成例の斜視図である。ここでは、折りたたみの実施例として図１３の洗面器置き台の構成例を代表例として描いたが、図１５、図１６、図１７のいずれの洗面器置き台の構成例でも同様な方法により折りたたみ可能であるので図は省略した。
【００５５】
図１９は、図１８の折りたたんだ状態の洗面器置き台の構成例を上から見た平面図と、平面図に示した各方向から洗面器置き台を見た場合の側面図、正面図、背面図である。
浴槽に掛けるフック７と洗面器置きテーブルとの支持部１１を回動可能とすることで洗面器置き台は、図１９のＭ−Ｍ’側面図に示されるように折りたたみが可能となり、これにより収納時と移動時の省スペース化を図ることができる。
また、段落番号００４７で記載した、浴槽に掛けるフック７に洗面器置きテーブルを支持する補助としての吊り下げ支持金具８の内側に、ガイドレールを設ける等の方法により、折りたたみ時に浴槽に掛けるフック７の支持部３２に対して、折りたたみを可能とする吊り下げ支持金具８を構成することができる。また、図示はしないが、吊り下げ支持金具８を鎖やバンドで置き換えた場合も、洗面器置きテーブルの折りたたみを可能とすることができるので、吊り下げ支持金具８は鎖やバンドで置き換えて構成しても良い。
【００５６】
図２０は、洗面器置きテーブルに設けた、カランの吐水口から吐水される湯を通過させる穴４の使用状況を斜視図で示したものである。上段の洗面器置きテーブル１に載置した洗面器を、上段の洗面器置きテーブル１からどかした際に、カランの吐水口から吐水される湯２７は、洗面器置きテーブル１に遮られることなく洗面器置きテーブル１に設けられたカランの吐水口から吐水される湯を通過させる穴４を通過し、下段の洗面器置きテーブル２に載置された洗面器２４へと直接吐水され、上段の洗面器置きテーブル１に洗面器が戻るまでのわずかな間も吐水される湯を無駄にせずに溜めることができることを示している。
図２０においては、図１に描かれる洗面器置き台の構成例を用いて、カランの吐水口から吐水される湯を通過させる穴４の機能を示しているが、図示しないが、図２２に記載される網目の洗面器置きテーブルで構成される洗面器置き台及び図２３に記載される格子の洗面器置きテーブルで構成される洗面器置き台以外の本発明において示される洗面器置き台で、カランの吐水口から吐水される湯を通過させる穴４は、上段の洗面器置きテーブル１と中段の洗面器置きテーブル２の２箇所にある場合でも、この上段と中段のカランの吐水口から吐水される湯を通過させる穴４は鉛直方向に穴４の位置がそろっているため、カランの吐水口から吐水される湯の垂下を妨げることが無くその機能が利用できるものである。
【００５７】
図２１は、洗面器置きテーブルの表面に、洗面器置きテーブルの勾配に対して垂直方向に帯び状の凹部を設けたことによる滑り止めの溝２１を施した実施例と、洗面器置きテーブルの勾配に対して垂直方向に帯び状の凸部を設けたことによる滑り止めの帯び状の凸部２２を施した実施例と、洗面器置きテーブルに滑り止めの表面のざらつき加工または、貼付された滑り止め加工されたシート類２３を施した実施例を示したものである。
図２１では、図２の洗面器置き台の構成例を用いて図示しているが、洗面器置きテーブルの表面に凹凸を設け、または滑り止めの表面のざらつき加工または、貼付された滑り止め加工されたシート類２３による滑り止め加工は、図２２記載の網目の洗面器置きテーブル及び図２３記載の格子の洗面器置きテーブル以外の洗面器置きテーブルに実施可能である。
【００５８】
図２２は、洗面器置きテーブルを網目により構成した洗面器置き台の構成例の図である。洗面器置きテーブルを網目とした場合、カランの吐水口から吐水される湯を通過させる穴４を設けなくても、上段の洗面器置きテーブルに載置された洗面器をどけた場合に、カランの吐水口から吐水される湯は網目を通って下段に載置された洗面器に吐水されることとなる。また、カランの吐水口から吐水される湯を通過させる穴４においては、あまり大きくしてしまうと洗面器置きテーブルに洗面器を載置した際に洗面器が穴に落ち傾いたり、洗面器が穴によりがたついたりすることとなるため、穴４の大きさが制限されるが、網目により構成した洗面器置きテーブルにおいては、当該洗面器置きテーブルに載置した洗面器ががたついたりすることなく、洗面器置きテーブルのいずれの位置においても、カランの吐水口から吐水される湯を通過させるので、カランの吐水口から吐水される湯を通過させる穴４に比して、より大きなカランの吐水口の可動範囲への対応が可能とされる。
図２２では、図２の洗面器置き台の構成例を用いて図示しているが、洗面器置きテーブルを網目で構成した洗面器置き台は、図２３記載の格子の洗面器置きテーブル以外の洗面器置きテーブルに実施可能である。
【００５９】
図２３は、洗面器置きテーブルを格子により構成した洗面器置き台の構成例の図である。洗面器置きテーブルを格子とした場合、カランの吐水口から吐水される湯を通過させる穴４を設けなくても、上段の洗面器置きテーブルに載置された洗面器をどけた場合に、カランの吐水口から吐水される湯は格子の穴を通って下段に載置された洗面器に吐水されることとなる。また、カランの吐水口から吐水される湯を通過させる穴４においては、あまり大きくしてしまうと洗面器置きテーブルに洗面器を載置した際に洗面器が穴に落ち傾いたり、洗面器が穴によりがたついたりすることとなるため、穴４の大きさが制限されるが、格子により構成した洗面器置きテーブルにおいては、当該洗面器置きテーブルに載置した洗面器ががたついたりすることなく、洗面器置きテーブルのいずれの位置においても、カランの吐水口から吐水される湯を通過させるので、カランの吐水口から吐水される湯を通過させる穴４に比して、より大きなカランの吐水口の可動範囲への対応が可能とされる。
図２３では、図２の洗面器置き台の構成例を用いて図示しているが、洗面器置きテーブルを格子で構成した洗面器置き台は、図２２記載の網目で構成した洗面器置きテーブル以外の洗面器置きテーブルに実施可能である。
【００６０】
図２４は、洗面器置きテーブルが、脚部ではなく垂直に立つ平面の板面によって支持されている自立型の洗面器置き台の構成例である。この図では洗面器置き台を上から見た場合Ｌ字型の板面で洗面器置きテーブルを支持しているが、洗面器置きテーブルを支持する板面は矩形状の洗面器置きテーブルとした場合、洗面器置き台を上から見た場合コの字型の板面で洗面器置きテーブルを支持する洗面器置き台であっても良い。
【００６１】
図２５は、洗面器置きテーブルが、脚部ではなく垂直に立つ曲面からなる板面によって支持されている自立型の洗面器置き台の構成例である。
【００６２】
図２６〜図３３は、自立型の洗面器置き台および浴槽懸架型の洗面器置き台の形状の多様性のある構成例を示したものであり、図２６〜図３３に関しては、図面の簡単な説明の項目に記載されているので、ここでは省略する。
【００６３】
図３４は、図１２〜図１９で描かれる浴槽懸架型の洗面器置き台の構成例のフック７が、板面からなるフック２０である構成を図示したものである。浴槽懸架型の洗面器置き台のフックは、フック７を用いてもフック２０を用いても実施可能である。
【００６４】
図３５は、カランの吐水口の可動範囲を示したものである。ここで描いたカランの吐水口は、通常見られるカランの吐水口の１つの代表的な例であるので、図３５に図示されるカランの吐水口と異なる形状のものも数多くあるが、本発明の洗面器置き台は、可動するカランの吐水口を想定して構成されているので、図３５のように可動するカランの吐水口を用いて説明を行う。
ここでは、カランの吐水口から吐水される湯を通過させる穴４（以下、穴４とも記載）に関して、図３６及び図３７を用いて以下に説明を行う。
【００６５】
図３６は、浴室の洗い場に対して左側に浴槽があるタイプの浴室において、本発明の自立型の洗面器置き台の構成例を設置した際の、上から見た平面図である。洗面器置きテーブル１の穴４は、図３５に示されるカランの吐水口２５の可動範囲に対して、図３６に示されるカランの吐水口２５の可動範囲に対応するものなっている。また、図３６のカランの吐水口２５aは、カランの吐水口２５に比べて吐水口の長さが短いものであり、カランの吐水口２５bはカランの吐水口２５に比べて吐水口の長さが長いものであるが、図示するようにカランの吐水口２５、カランの吐水口２５a、カランの吐水口２５bにも本発明の穴４は適応性をもち、本発明の穴４は、単一の長さのカランの吐水口にのみ対応したものではないことを図示している。
【００６６】
また、図３７は、浴室の洗い場に対して右側に浴槽があるタイプの浴室において、本発明の自立型の洗面器置き台の構成例を設置した際の、上から見た平面図である。洗面器置きテーブル１の穴４は、図３５に示されるカランの吐水口２５の可動範囲に対して、図３７に示されるカランの吐水口２５の可動範囲に対応するものなっている。また、図３７のカランの吐水口２５aは、カランの吐水口２５に比べて吐水口の長さが短いものであり、カランの吐水口２５bはカランの吐水口２５に比べて吐水口の長さが長いものであるが、図示するようにカランの吐水口２５、カランの吐水口２５a、カランの吐水口２５bにも本発明の穴４は適応性をもち、本発明の穴４は、単一の長さのカランの吐水口にのみ対応したものではないことを図示している。
【００６７】
図３６と図３７に示すように、本発明の自立型の洗面器置き台及び洗面器置きテーブルに設けられた穴４は、単一の長さのカランの吐水口にのみ対応したものでなくかつ、浴室の洗い場に対して浴槽が左右どちらに配置されている浴室にも対応することができることを特徴とするものである。
図３６、図３７では、自立型の洗面器置き台の構成例を設置した場合を図示しているが、図示しないが、本発明の浴槽懸架型の洗面器置き台及び洗面器置きテーブルに設けられた穴４に関しても、単一の長さのカランの吐水口にのみ対応したものでなくかつ、浴室の洗い場に対して浴槽が左右どちらに配置されている浴室にも対応することができることを特徴とするものである。
【産業上の利用可能性】
【００６８】
本発明は、洗面器等の容器を上下に階層をもって配置し、吐水される水を上段から下段の洗面器等の容器に連続して溜めることができるため、水の有効利用に役立ち産業上の利用価値を有するとともに、工業的に量産することが可能であるため、産業上利用の可能性を有する。
【符号の説明】
【００６９】
１     洗面器置きテーブル  上段
２     洗面器置きテーブル  下段
３     洗面器置きテーブル  中段
４     カランの吐水口から吐水される湯を通過させる穴
５     脚部
６     土手
７     浴槽に掛けるフック
８     吊り下げ支持金具
９     前脚部のテーブル支持部
１０   奥脚部のテーブル支持部
１１   浴槽に掛けるフックのテーブル支持部
１２   脚部を安定させる横棒
１３   蝶番
１４   ストッパー
１５   高さを微調整する調整ネジ
１６   網目で構成されたテーブル
１７   格子で構成されたテーブル
１８   平面をなす板面
１９   曲面をなす板面
２０   浴槽に掛けるフックで板面で構成されたもの
２１   滑り止めの溝
２２   滑り止めの帯び状の凸部
２３   滑り止めの表面のざらつき加工または、貼付された滑り止め加工されたシート類
２４   洗面器
２５   カランの吐水口
２５a  カランの吐水口２５に対して長さが短いカランの吐水口
２５b  カランの吐水口２５に対して長さが長いカランの吐水口
２６   カランのハンドル
２７   カランの吐水口から吐水される湯
２８   洗面器から溢れて垂下する湯
２９   浴槽
３０   浴室の洗い場の床
３１   浴室の壁
３２   浴槽に掛けるフックの、吊り下げ金具８の支持部
【図１】
2011055866.tif 000003
【図２】
2011055866.tif 000004
【図３】
2011055866.tif 000005
【図４】
2011055866.tif 000006
【図５】
2011055866.tif 000007
【図６】
2011055866.tif 000008
【図７】
2011055866.tif 000009
【図８】
2011055866.tif 000010
【図９】
2011055866.tif 000011
【図１０】
2011055866.tif 000012
【図１１】
2011055866.tif 000013
【図１２】
2011055866.tif 000014
【図１３】
2011055866.tif 000015
【図１４】
2011055866.tif 000016
【図１５】
2011055866.tif 000017
【図１６】
2011055866.tif 000018
【図１７】
2011055866.tif 000019
【図１８】
2011055866.tif 000020
【図１９】
2011055866.tif 000021
【図２０】
2011055866.tif 000022
【図２１】
2011055866.tif 000023
【図２２】
2011055866.tif 000024
【図２３】
2011055866.tif 000025
【図２４】
2011055866.tif 000026
【図２５】
2011055866.tif 000027
【図２６】
2011055866.tif 000028
【図２７】
2011055866.tif 000029
【図２８】
2011055866.tif 000030
【図２９】
2011055866.tif 000031
【図３０】
2011055866.tif 000032
【図３１】
2011055866.tif 000033
【図３２】
2011055866.tif 000034
【図３３】
2011055866.tif 000035
【図３４】
2011055866.tif 000036
【図３５】
2011055866.tif 000037
【図３６】
2011055866.tif 000038
【図３７】
2011055866.tif 000039